(57)【特許請求の範囲】
【請求項１】
基板の表面に多数のタイルを貼着してなるタイルパネルを、建築物や構築物等の構造体の表面に取り付ける際に用いるタイルパネル取付用スリット金具であって、
上記スリット金具を上記基板の縁部に嵌る大きさの断面略コ字形に形成して、そのコ字形の基部またはその近傍にスリット穴を設け、上記コ字形スリット金具の一対の対向片のうち上記基板のタイル貼着と反対側に装着される対向片の自由端部に断面円弧状の屈曲部を形成すると共に、上記対向片の長手方向両端部に他方の対向片側に突出する突起を設けることを特徴とするタイルパネル取付用スリット金具。
【請求項２】
上記コ字形スリット金具の一対の対向片のうち上記基板のタイル貼着側に装着される対向片を他方の対向片よりも薄手の金属板で形成してなる請求項１に記載のタイルパネル取付用スリット金具。
【請求項３】
上記請求項１、又は２に記載のタイルパネル取付用スリット金具を、その一対の対向片間にタイルパネルの基板の縁部を挟んで装着すると共に、上記スリット金具の一方の対向片を覆うようにして上記基板の表面にタイルを貼着したことを特徴とするタイルパネル取付用スリット金具。
【請求項４】
上記タイルで覆われる対向片を、上記基板にタイルを貼着する際の接着材層の厚さと同等もしくはそれよりも薄く形成してなる請求項３に記載のタイルパネル。
【請求項５】
上記スリット金具を、タイルパネルの方形の基板の互いに対向する辺の縁部に、それぞれ複数個ずつ装着してなる請求項３、又は４に記載のタイルパネル。
【請求項６】
上記スリット金具を装着した請求項３〜５に記載のタイルパネルを、建築物や構築物等の構造体の表面に並べて配置すると共に、上記構造体の表面に取付けた差込金具の差込片を上記スリット金具のスリット穴に挿入することによって、上記タイルパネルを上記スリット金具と差込金具とを介して上記構造体の表面に取付け支持させたことを特徴とするタイルパネル取付構造。
【発明の詳細な説明】
【技術分野】
【０００１】
本発明は、例えばビル等の建築物やトンネル等の構築物などの構造体の表面（内面または外面）にタイルパネルを取付ける際に用いるタイルパネル取付用スリット金具およびそれを用いたタイルパネル並びにタイルパネル取付構造に関する。
【背景技術】
【０００２】
従来たとえばビル等の建築物やトンネル等の構築物などの構造体の表面に内装材や外装材などとしてタイルパネルを取付けることは知られている。そのタイルパネルは、一般に所定の大きさ・形状に形成した基板の表面にタイルを縦横に多数並べて接着材等で貼着した構成であり、このようなタイルパネルを上記のような構造体の表面に支持金具等を介して取付け支持させるのが一般的である。
【０００３】
下記特許文献１は、上記のようなタイルパネルを、支持金具を用いて構造体の表面に所定の間隔をおいて取付け支持させるようにしたもので、基板に貼着したタイルの裏面に予め溝や切欠きを設けておき、この溝や切欠きによって基板との間に形成されるスリット状の隙間内に、上記支持金具に形成した舌片状の差込片を挿入することによって、上記タイルパネルを支持金具を介して構造体の表面に取付け支持させた構成である。
【０００４】
【特許文献１】特開２００１−７３５３１号公報
【発明の開示】
【発明が解決しようとする課題】
【０００５】
ところが、最近タイルパネルの軽量化や経済性の追求もしくは曲面への施工性の向上などを図るために、なるべく薄型のタイルを用いることが求められ、例えば従来はタイル厚さが１０ｍｍ程度であったものが最近は６〜７ｍｍ程度のものが多く用いられている。しかし、こうした薄型のタイルを用いたタイルパネルは、上記従来例と同様の要領で構造体に取付けることは困難な場合が少なくない。
【０００６】
即ち、上記のような薄型のタイルを用いたタイルパネルを、前記従来の厚手のタイルを用いたタイルパネルと同様の要領で構造体に取付けようとしても、これ以上薄くできないところまで薄型化したタイルの裏面をさらに部分的に薄くして凹部を設けるようにすると燃焼時にタイルが変形したり、また焼成後に削ろうとしても割れてしまうおそれがあるので、こうした加工は極めて難しい。また、取付け状態ではタイルパネル自体の重量が支持金具を介して凹部からタイルの肉薄の部分に集中してかかってしまうため、この部分に割れや欠けが生じることが懸念される。
【０００７】
そこで、上記のような薄型のタイルを用いたタイルパネルを構造体に取付ける場合、従来は隣り合うタイル間の目地を利用してタイルパネルの表面側から直接釘やアンカーを打ち込んで構造体に取付けるようにしているが、釘やアンカーの頭部がタイルパネルの表面に露出して外観体裁を損ねたり、釘やアンカーを打ち込む際に不用意にタイルを破損させてしまう等のおそれがあった。
【０００８】
本発明は上記の問題点に鑑みて提案されたもので、薄型のタイルを用いたタイルパネルにあっても前記のような支持金具等を用いて構造体の表面に容易に取付け支持させることが可能なタイルパネル取付用スリット金具およびそれを用いたタイルパネル並びにタイルパネルの取付構造を提供することを目的とする。
【課題を解決するための手段】
【０００９】
上記の目的を達成するために本発明によるタイルパネル取付用スリット金具およびそれを用いたタイルパネル並びにタイルパネルの取付構造は、以下の構成としたものである。すなわち、本発明によるタイルパネル取付用スリット金具は、基板の表面に多数のタイルを貼着してなるタイルパネルを、建築物や構築物等の構造体の表面に取付ける際に用いるタイルパネル取付用スリット金具であって、上記スリット金具を上記基板の縁部にほぼ嵌る大きさの断面略コ字形に形成して、そのコ字形の基部またはその近傍にスリット穴を設けたことを特徴とする。
【００１０】
また、本発明によるタイルパネルは、上記のようなタイルパネル取付用スリット金具を、その一対の対向片間にタイルパネルの基板の縁部を挟んで装着すると共に、上記スリット金具の一方の対向片を覆うようにして上記基板の表面にタイルを貼着したことを特徴とする。
【００１１】
さらに本発明によるタイルパネルの取付構造は、上記スリット金具を装着したタイルパネルを、建築物や構築物等の構造体の表面に並べて配置すると共に、上記構造体の表面に取付けた差込金具の差込片を上記スリット金具のスリット穴に挿入することによって、上記タイルパネルを上記スリット金具と差込金具とを介して上記構造体の表面に取付け支持させたことを特徴とするタイルパネル取付構造。
【発明の効果】
【００１２】
上記のように構成された本発明によるタイルパネル取付用スリット金具およびそれを用いたタイルパネル並びにタイルパネルの取付構造によれば、以下の作用効果が得られる。
（１）本発明によるスリット金具は断面略コ字形に形成して、その対向片間にタイルパネルの基板の縁部を挟んで固定する構成であるから、基板の縁部の任意の位置にスリット金具を設けることができる。
（２）スリット金具を用いることによって、前記従来のようにスリット穴を形成するためにタイルや基板に切削加工等を施す必要がない。タイルは全て均質な厚さとなるため、スリット金具を用いてもタイルに局所的な荷重がかかることがない。
（３）薄型のタイルを用いたタイルパネルでもスリット穴を設けることが可能となり、前記従来の厚手のタイルを用いた場合よりもパネルの軽量化を図ることができる。
（４）基板やタイルの材質、厚みに拘わらず、同一のスリット金具、差込金具を用いることができる。
【発明を実施するための最良の形態】
【００１３】
以下、本発明によるタイルパネル取付用スリット金具およびそれを用いたタイルパネル並びにタイルパネルの取付構造を、図に示す実施形態に基づいて具体的に説明する。
図１は本発明によるタイルパネルの一実施形態を示す正面図、図２（ａ）はその一部の拡大図、同図（ｂ）はその側面図、（ｃ）はその中間部を省略した上下部の拡大図である。
【００１４】
本実施形態のタイルパネル１は、繊維強化セメント板製の基板１１の表面に陶磁器質のタイル１２を縦横に多数並べて接着材１３により貼着したものである。その基板１１およびタイル１２の大きさ形状や配置個数等は適宜であるが、本実施形態においては、厚さ６ｍｍ、横約１８００ｍｍ、縦約６００ｍｍの横長の長方形状の基板の表面に、厚さ約６．８ｍｍ、横約１９８ｍｍ、縦約９８ｍｍの横長の長方形状のタイルを、縦６列、横９列に並べた状態で厚さ約０．５ｍｍの接着材１３を介して貼着したものである。
【００１５】
上記タイルパネル１には、それを建築物や構築物等の構造体の表面に取付けるためのスリット金具２を備えたもので、本実施形態においては図１に示すようにタイルパネル１の基板１１の上下両側縁の長手方向両端部と中央部との合わせて６箇所にスリット金具２が設けられている。
【００１６】
上記各スリット金具２は、本実施形態においては図２〜図５に示すように断面略コ字形に形成したもので、特に図の場合はコ字形の基部２ａと一方の対向片２ｂとを厚手の金属板で形成すると共に、他方の対向片２ｃを薄手の金属板で構成し、その対向片２ｃの一端側にそれと一体に設けた折曲部２ｃ１を上記基部２ａの内面に溶着または溶接等で固着することによって全体略コ字形に形成したものであるが、スリット金具２全体を１枚の金属板で形成してもよい。
【００１７】
また上記コ字形スリット金具２の基部２ａまたはその近傍にスリット穴２０を設けたもので、特に図の場合は上記基部２ａと対向片２ｂとの角部にスリット穴２０を設けたものである。さらに上記対向片２ｂ・２ｃのうちの一方の対向片２ｂの自由端部には断面弧状の屈曲部２１を設けると共に、その対向片２ｂの長手方向（図４（ａ）および（ｂ）で左右方向）両側の上記スリット穴２０よりも外側の位置には、他方の対向片２ｃに向かって突出する突起２２が設けられている。
【００１８】
上記のように構成されたスリット金具２は、上記タイルパネル１を建築物や構築物等の構造体に取付ける前に該タイルパネル１に取付けるもので、その取付手段や取付手順等は適宜であるが、例えば以下の要領で取付ければよい。
【００１９】
図６はその一例を示すもので、先ず同図（ａ）に示すようにタイル１２を貼着する前のタイルパネル１の基板１１の上下両側の縁部の所定位置にコ字形スリット金具２を上方から差し込んで、該スリット金具２の対向片２ｂ・２ｃ間に上記基板１１の縁部を挟んで固定する。なお、図は基板１１の上側のみを示すが、下側にも上下対称に同様にスリット金具２を装着する。
【００２０】
なお、その場合、必要に応じてスリット金具２の対向片２ｂ・２ｃの間隔（上記のように対向片２ｂに屈曲部２１や突起２２を設けるものにあっては、それらと他方の対向片２ｃとの間隔）を、自由状態において上記基板１１の厚さよりも狭く形成するようにしてもよい。そのようにすると、上記対向片２ｂ・２ｃ間に上記基板１１の縁部を挟んだとき、上記各対向片２ｂ・２ｃ（屈曲部２１や突起２２を設けるものにあっては、それらが）基板１１の表面に圧接してより確実に固定することができる。また上記スリット金具２は必要に応じて上記基板１１に接着材等で固着するようにしてもよい。
【００２１】
上記のようにして基板１１の縁部の所定位置にスリット金具２を装着したところで、図６（ｂ）のように基材１１の表面に接着材１３を塗布して同図（ｃ）のようにタイル１２を順次貼着する。そして、同図（ｄ）のように基板１１の表面全面にタイルが貼着されたところでタイルパネル１が完成する。以上の工程は工場等で行うことができる。
【００２２】
なお、上記のように基板１１にスリット金具２を装着したのちタイル１２を貼着した状態において、そのタイル１２と基板１１との間に介在される対向片２ｃは、タイル１２を基板１１に貼着する際の接着材１３の層厚と同等もしくはそれよりも薄く形成するとよい。そのようにすると、タイル１２を基板１１に通常の工程で何ら支障なく貼着することができると共に、スリット金具２を装着した箇所のタイルが他のタイルよりも出っ張るのを防ぐことができる。
【００２３】
また、スリット金具２に前記のような屈曲部２１や突起２２を設けると、図６（ｄ）のように基板１１と対向片２ｂとの間に隙が生じて、その上部に設けたスリット穴２０から後述する支持金具の差込片を容易に挿入することが可能となる。
【００２４】
上記のようにしてスリット金具２を備えたタイルパネル１を建築物や構築物等の構造体の表面に敷設するに当たっては、上記スリット金具２を利用して、それに係合する支持金具等を介して取付けるもので、図７〜図９はその一例を示すものである。
【００２５】
すなわち、図７〜図９は前記横長のタイルパネル１を縦横に多数並べて配置し、その各タイルパネル１に予め取付けた６つのスリット金具２と、その各スリット金具２のスリット穴２０に係合する差込片を有する支持金具３を介して上記各タイルパネル１を構造体Ａの表面に取付けたものである。
【００２６】
上記支持金具３は、本実施形態においては、図１０および図１１に示すように取付基部３ａの下端部に、それとほぼ直角に設けた折曲部３ｂを介して上向きの差込片３ｃと、下向きの差込片３ｄおよび押え片３ｅとを一体的に設けた構成である。
【００２７】
上記取付基部３ａには、取付穴３０が設けられ、その取付穴３０を利用して上記支持金具３を上記構造体Ａの表面に取付けるようにしたもので、図の場合は構造体Ａに打設した公知の拡開式アンカー４に取付ボルト５をねじ込んで上記支持金具３を構造体Ａの表面に取付けたものである。図中、６はワッシャである。
【００２８】
そして、図７〜図９に示すように上記支持金具３の下向きの差込片３ｄを、下側に位置するタイルパネル１の上部に設けたスリット金具２のスリット穴２０に、また上向きの差込片３ｃを上側に位置するタイルパネル１の下部に設けたスリット金具２のスリット穴２０にそれぞれ挿入係合させることによって、上記各タイルパネル１を構造体Ａの表面に所定の間隔をおいて取付け支持させたものである。
【００２９】
上記タイルパネル１の取付手順は適宜であるが、例えば上下方向に敷設されるタイルパネルにあっては、通常下から順に取付けて行くもので、先ず予め前記図１のように基板１１の上下部の所定の位置にスリット金具２を装着してなるタイルパネル１の下部を不図示の支持金具等で構造体Ａの表面に取付けた状態で、そのタイルパネル１の上部のスリット金具２に図１３（ａ）に示すように支持金具３を装着する。
【００３０】
図１２はその支持金具３をスリット金具２に装着する状態の斜視図であり、支持金具３の下向きの差込片３ｄを、タイルパネル１の上部のスリット金具２のスリット穴２０に挿入する。その際、前述のようにスリット金具２の対向片２ｂに屈曲部２１や突起２２を設けたものにあっては、図１３（ａ）のようにスリット穴２０の下側の基板１１と対向片２ｂとの間に隙が形成されているので、上記差込片３ｄをスリット穴２０から図１３（ｂ）のように上記基板１１と対向片２ｂとの間に容易に挿入することができる。
【００３１】
また上記支持金具３の差込片３ｄをスリット穴２０に挿入する際、押え片３ｅは上記スリット穴２０に挿入することなく、図１２（ｂ）のようにスリット金具２の対向片２ｂの外側に添わせる。そのようにすると、上記差込片３ｄを図１３（ｂ）のようにスリット穴２０に挿入した状態において上記差込片３ｄと押え片３ｅとの間に上記対向片２ｂが挟まれた状態となって、それらのガタツキを防止することができる。
【００３２】
次に、上記差込片３ｄを図１３（ｂ）のようにスリット穴２０に挿入したところで、上記支持金具３の取付基部３ａに形成した取付穴３０を、構造体Ａに予め若しくはパネル取付時に打設したアンカー４の位置に一致させ状態で、上記取付穴３０に取付ボルト５を挿通し、アンカー４に形成した雌ねじ孔４ａにねじ込んで締め付け固定する。それによって上記支持金具３が構造体Ａの表面に取付けられると共に、下側のタイルパネル１の上部が固定される。
【００３３】
次いで、上記支持金具３に上側のタイルパネル１の下部を取付けるもので、それには図１３（ｃ）のように上側のタイルパネル１の下部に取付けたスリット金具２のスリット穴２０に上記支持金具３の上向きの差込片３ｃを差し込めばよい。その場合にも、スリット金具２の対向片２ｂに屈曲部２１や突起２２を設けたものにあっては、図１３（ｃ）のようにスリット穴２０の上側の基板１１と対向片２ｂとの間に隙が形成されているので、上記差込片３ｃをスリット穴２０から上記基板１１と対向片２ｂとの間に容易に挿入することができる。
【００３４】
上記のようにして上側のタイルパネル１の下部のスリット金具２に、支持金具３の差込片３ｃを差し込んだところで、その上側のタイルパネル１の上部も別の支持金具３によって上記と同様の要領で構造体Ａの表面に取付け支持させていき、これを繰り返して行けば構造体Ａの表面にタイルパネル１を順に並べた状態で容易に敷設することができるものである。
【００３５】
上記のように本発明によるタイルパネル取付用スリット金具２は、断面略コ字形に形成してタイルパネル１の基板１１の縁部に嵌める構成としたから、上記基板１１の任意の位置に容易に装着することが可能となる。またコ字形のスリット金具２の基部２ｂまたはその近傍にスリット穴２０を設けたから、上記スリット金具２を基板１１に装着するだけでタイルパネル１にパネル取付用のスリット穴２０を設けることができる。
【００３６】
また本発明によるタイルパネル１は、上記スリット金具２の一対の対向片２ｂ・２ｃ間に、タイルパネル１の基板１１の縁部を挟んで装着するようにしたので、タイルパネル１切削加工等を施すことなく、パネル取付用のスリット穴２０を設けることが可能となる。また上記スリット金具２の一方の対向片２ｃを覆うようにして上記基板１１の表面にタイル１２を貼着するようにしたので、上記対向片２ｃがタイルパネル１の表面側に露出することなく上記スリット金具２をタイルパネル１に装着することができる。
【００３７】
さらに本発明によるタイルパネル取付構造は、上記スリット金具２を装着したタイルパネル１を、建築物や構築物等の構造体Ａの表面に並べて配置すると共に、上記構造体Ａの表面に取付けた差込金具３の差込片３ｃ・３ｄを上記スリット金具２のスリット穴２０に挿入することによって、上記タイルパネル１を上記スリット金具２と差込金具３とを介して上記構造体Ａの表面に構造簡単かつ容易に取付け支持させることが可能となるものである。しかも、本発明では、取り付けられたタイルパネルにおけるタイルはどの箇所も均一な厚さを有しているため、差込金具を差込むための溝や凹部を設けたタイルの場合のように荷重の局所集中が生じる懸念なく、安定且つ強固なタイルパネル取付構造となる。
【００３８】
なお、上記実施形態は、タイルパネル１として繊維強化セメント板製の横長の長方形状の基板１１の表面に、陶磁器質の横長で長方形状のタイル１２を貼着したものを用いたが、その基板１１やタイル１２の材質や形状等は適宜である。例えば、基板について耐火性や強度等を重視する場合は、上記繊維強化セメント板やけい酸カルシウム板等の窯業系無機質材が好適に用いられる。また上記実施形態におけるスリット金具２や差込金具３の構成は一例であり、タイルパネル１の構成や、それを取付け支持させる構造体Ａの構成等に応じて適宜変更することができる。
【産業上の利用可能性】
【００３９】
以上のように本発明によるタイルパネル取付用スリット金具およびそれを用いたタイルパネル並びにタイルパネルの取付構造は、前記の構成であるから、薄型のタイルを用いたタイルパネルにあってもタイルや基板に切削加工等を施すことなくスリット穴を設けて建築物や構築物等の構造体に容易に取付けることが可能となるもので、極力タイルの薄型化および軽量化が求められている最近のタイルパネルの取付けに有効に利用することができる。
【図面の簡単な説明】
【００４０】
【図１】本発明によるタイルパネルの一実施形態を示す正面図。
【図２】（ａ）は上記タイルパネルの一部の拡大図、（ｂ）はその側面図、（ｃ）はその上下部の拡大図。
【図３】スリット金具の斜視図。
【図４】（ａ）はスリット金具の平面図、（ｂ）はその正面図、（ｃ）はその左側面図、（ｄ）は（ｂ）におけるｄ−ｄ断面図、（ｅ）は背面図、（ｆ）は（ｅ）におけるｆ−ｆ断面図。
【図５】（ａ）はタイルパネルの基板にスリット金具を取付ける状態の斜視図、（ｂ）は取付けた状態の同上図。
【図６】（ａ）〜（ｄ）はタイルパネルにスリット金具を取付けるプロセスの一例を示す説明図。
【図７】（ａ）は構造体の表面にタイルパネルを敷設した状態の正面図、（ｂ）はその側面図。
【図８】（ａ）および（ｂ）はそれぞれ図６（ａ）および（ｂ）の一部の拡大図。。
【図９】（ａ）は図７における一部の拡大横断平面図、（ｂ）はその正面図、（ｃ）はその縦断側面図。
【図１０】支持金具の斜視図。
【図１１】（ａ）は支持金具の平面図、（ｂ）はその正面図、（ｃ）は側面図。
【図１２】（ａ）は上記支持金具をスリット金具に係合させる状態の斜視図、（ｂ）は係合させた状態の同上図。
【図１３】（ａ）〜（ｄ）は構造体の表面にタイルパネルを敷設するプロセスの一例を示す説明図。
【符号の説明】
【００４１】
１  タイルパネル
１１  基板
１２  タイル
１３  接着材
２  スリット金具
２ａ  基部
２ｂ、２ｃ  対向片
２０  スリット穴
２１  屈曲部
２２  突起
３  支持金具
３ａ  取付基部
３ｂ  折曲部
３ｃ、３ｄ  差込片
３ｅ  押え片
４  アンカー
５  ボルト
Ａ  構造体
【図１】
0005213230.tif 000002
【図２】
0005213230.tif 000003
【図３】
0005213230.tif 000004
【図４】
0005213230.tif 000005
【図５】
0005213230.tif 000006
【図６】
0005213230.tif 000007
【図７】
0005213230.tif 000008
【図８】
0005213230.tif 000009
【図９】
0005213230.tif 000010
【図１０】
0005213230.tif 000011
【図１１】
0005213230.tif 000012
【図１２】
0005213230.tif 000013
【図１３】
0005213230.tif 000014